(57)【特許請求の範囲】
【請求項１】
断熱材を基材として高伝熱性金属板を積層し、この金属板表面に耐汚染性表面層としてフッ素樹脂層を積層する構成としたことを特徴とする厨房のコンロ周囲壁面材。
【請求項２】
石膏ボードにアルミニウム板を接着し、このアルミニウム板にフッ素樹脂フィルムを耐熱接着剤で貼り合わせる構成としたことを特徴とする厨房のコンロ周囲壁面材。
【請求項３】
前記フッ素樹脂フィルムの、アルミニウム板との積層面に模様を施したことを特徴とする請求項２記載の厨房のコンロ周囲壁面材。
【請求項４】
前記アルミニウム板のフッ素樹脂フィルムとの積層面に模様を施したことを特徴とする請求項２記載の厨房のコンロ周囲壁面材。
【請求項５】
前記フッ素樹脂フィルムの、アルミニウム板との積層面に文字を付したことを特徴とする請求項２記載の厨房のコンロ周囲壁面材。
【請求項６】
前記アルミニウム板のフッ素樹脂フィルムとの積層面に文字を付したことを特徴とする請求項２記載の厨房のコンロ周囲壁面材。
【発明の詳細な説明】
【０００１】
【産業上の利用分野】
本発明は、清掃性、防熱性、さらには軽量で現場施工性に優れた厨房のコンロ周囲壁面材に関するものである。
【０００２】
【従来の技術】
現在、厨房のコンロ周りの壁面には、タイル面材が使用されることが多い。また、ステンレス等の金属板を張った場合も見受けられる。
【０００３】
【発明が解決しようとする課題】
しかしながら、タイル面材を使用した場合には、耐熱性は良好であるが、施工、下地処理等に労力を要し、現場施工性に難点があり、施工費用の抑制が困難である。また、タイル表面、目地に油汚れが付きやすく、掃除が大変である。
一方、面材に金属板を使用した場合には、汚れは落しやすく、また、耐熱性には問題はないが、金属板がコンロ等の熱源により局所的に高温となりやすく、極端な場合金属板の内側が発火するおそれがある。
本発明は、以上のような課題を解決するために提案されたものであって、清掃性、防熱性に優れ、さらには軽量で現場施工性に優れた、厨房のコンロ周囲壁面材を提供することを目的とする。
【０００４】
【課題を解決するための手段】
前記した課題を解決するために、本発明では、請求項１において、断熱材を基材として高伝熱性金属板を積層し、この金属板表面に耐汚染性表面層としてフッ素樹脂層を積層する構成とした厨房のコンロ周囲壁面材を提案する。
また本発明では、請求項２において、石膏ボードにアルミニウム板を接着し、このアルミニウム板にフッ素樹脂フィルムを耐熱接着剤で貼り合わせる構成とした厨房のコンロ周囲壁面材を提案する。
また本発明では、請求項３において、前記フッ素樹脂フィルムの、アルミニウム板との積層面に模様を施した厨房のコンロ周囲壁面材を提案する。
また本発明では、請求項４において、前記アルミニウム板のフッ素樹脂フィルムとの積層面に模様を施した厨房のコンロ周囲壁面材を提案する。
また本発明では、請求項５において、前記フッ素樹脂フィルムの、アルミニウム板との積層面に文字を付した厨房のコンロ周囲壁面材を提案する。
さらに本発明では、請求項６において、前記アルミニウム板のフッ素樹脂フィルムとの積層面に文字を付した厨房のコンロ周囲壁面材を提案する。
【０００５】
【作用】
本発明によれば、耐汚染性表面層として設けたフッ素樹脂フィルムにより清掃性に優れ、断熱材を基材として高伝熱性の金属板を積層したので、防熱性に優れ、さらには鋸、カッター等の工具により切断加工が容易であり、現場施工性に優れたものとなる。
【０００６】
【実施例】
次に、本発明にかかる厨房のコンロ周囲壁面材について、一実施例を挙げ、添付の図面を参照しながら以下説明する。
図１に厨房１を示し、この厨房１におけるコンロ２の前壁および側壁には、本発明にかかる厨房のコンロ周囲壁面材として防熱板３が装着されている。
この防熱板３は、図２に示すように伝熱性の高い金属板、例えばアルミニウム板４に非粘着性、耐熱性に優れるフッ素樹脂フィルム５を積層した構成としている。前記アルミニウム板４は、伝熱性の高い、すなわち熱拡散性が高ければ他の金属でもよい。かかるアルミニウム板４は、既に施工された厨房１の断熱性のあるコンロ２の前壁および側壁に装着するものである。
前記フッ素樹脂フィルム５には、例えばエチレンテトラフルオロエチレン共重合体（ＥＴＦＥ）、テトラフルオロエチレンパーフルオロアルキルビニルエーテル共重合体（ＰＦＡ）等の四フッ化フッ素樹脂を適用することができる。なお、非粘着性、耐熱性に優れたものであれば、他の樹脂も可能である。
また、前記フッ素樹脂フィルム５は、厚さが５〜２００μで、透明、透明で前記アルミニウム板４との積層面に模様等を印刷したもの、フィルム自体が着色されたもの等、いずれでもよい。さらに、マーク、文字、さらには、標語を印刷してもよい。
また、前記アルミニウム板４側に、模様、文字等の印刷を施すこともできる。さらに、アルミニウム板４のフッ素樹脂フィルム５との積層面に、凹凸のある模様を付してもよい。
【０００７】
このような構成の防熱板３において、アルミニウム板４とフッ素樹脂フィルム５とは、熱溶着により貼り合わせている。また、接着剤により貼り合わせるようにしてもよい。
【０００８】
本発明にかかる厨房のコンロ周囲壁面材は、以下のような構成によっても実現することができる。すなわち、図３に示す防熱板１０では、前述のアルミニウム板４にフッ素樹脂フィルム５に積層したものに断熱材１１を積層した構成としている。
この場合、断熱材１１には、例えば石膏ボードを適用することができる。
【０００９】
以上、本発明にかかる厨房のコンロ周囲壁面材である防熱板３、２０によれば、非粘着性、耐熱性に富むフッ素樹脂フィルム５により清掃性に優れ、アルミニウム板４に断熱材１１を積層したものにあっては防熱性に優れ、さらには鋸、カッター等の工具により切断加工が容易であり、現場施工性に優れたものとなる。
さらに、フッ素樹脂フィルム５に着色を施したり、アルミニウム板４またはフッ素樹脂フィルム５側の積層面に模様等を施したものにあっては、意匠性の向上をもたらすことができる。さらに、アルミニウム板４またはフッ素樹脂フィルム５側の積層面に文字、標語等を印刷するようにすれば、様々な実用的な有用性がもたらされる。
【００１０】
ここで、本発明にかかる厨房のコンロ周囲壁面材について、従前のタイル壁との比較から、有用性を検証してみる。
比較例１
１．防熱板………厚さ９ｍｍの石膏ボード（縦横９２０ｍｍ、横幅１２００ｍｍ）にアルミニウム板４を接着し、アルミニウム板４に厚さ２０μのフッ素樹脂フィルム５を耐熱接着剤で貼り合わせた。
２．従前のタイル壁……縦５２０ｍｍ、横幅１０００ｍｍ
・切断加工……１．防熱板を２．従前のタイル壁と同一のサイズに切断し、試作施工を行った。
【００１１】
結果
鋸、カッター等で容易に切断加工でき、下地壁を特に予備施工を行うことなく、平滑な新規壁とすることができた。
これに対し、２．従前のタイル壁では、「１０ｃｍ角のタイルと固定剤を兼ねた白色目地剤」を使用した。壁面の平滑性を確保するため、タイル施工に先立ち、下地壁の平滑化のため、下地処理用セメント施工を行った。この結果、下地の乾燥等、養生に放置時間も必要としたため、１．防熱板に比較して多大な労力を費やしたことがわかる。
【００１２】
比較例２
比較例１で試作した、１．防熱板、２．従前のタイル壁の汚れ落ち比較のため、充分な量の水性赤インク含有の水をスプレーで吹きかけ作業を行った。
【００１３】
結果
処理面が熱源で乾燥後、乾布で拭き取り作業を行ったところ、表面に非粘着性、耐熱性に富むフッ素樹脂フィルム５を積層した１．防熱板は、何ら汚れが残ることはなかった。これに対し、２．従前のタイル壁では、目地部分に赤インクが染み込み、除去することはできなかった。
【００１４】
【発明の効果】
以上のとおり本発明にかかる厨房のコンロ周囲壁面材によれば、耐汚染性表面層として設けたフッ素樹脂フィルムにより清掃性に優れ、断熱材を基材として高伝熱性の金属板を積層したので、防熱性に優れ、さらには鋸、カッター等の工具により切断加工が容易であり、現場施工性に優れたものとなる。
【００１５】
【図面の簡単な説明】
【図１】  本発明にかかる厨房のコンロ周囲壁面材を適用した、厨房の模式的な斜視説明図である。
【図２】  本発明にかかる厨房のコンロ周囲壁面材の別の実施例を示す模式的な断面説明図である。
【図３】  本発明にかかる厨房のコンロ周囲壁面材の別の実施例を示す模式的な断面説明図である。
【符号の説明】
１                      厨房
２                      コンロ
３、１０                防熱板
４                      アルミニウム板
５                      フッ素樹脂フィルム
１１                    断熱材
【図１】
0003675890.tif 000002
【図２】
0003675890.tif 000003
【図３】
0003675890.tif 000004